(57)【要約】【課題】お墓等の石材構造物の耐震試験を効率的に行う。【解決手段】お墓等の石造構造物の耐震試験に用いる石造構造物用パレット１において、略箱状のパレット本体部２０と、パレット本体部２０の上面に形成された、矩形状凹状の基礎設置部２０ａとを設ける。また、基礎設置部２０ａには、石造構造物を建てるための基礎１０（割栗石Ｂと、割栗石１３の上に載置された鉄筋メッシュ１２と、鉄筋メッシュ１２の上から流し込まれて固められたコンクリート１１）が設置されている。【選択図】図１
2009166882.tif 000002
【特許請求の範囲】
【請求項１】
石造構造物を載置して耐震試験に用いられる石造構造物用パレットにおいて、
略箱状のパレット本体部と、
前記パレット本体部の上面に形成された矩形凹状部とを備え、
前記矩形凹状部には、前記石造構造物を建てるための基礎が設置されていることを特徴とする石造構造物用パレット。
【請求項２】
前記矩形凹状部には、防水加工が施されていることを特徴とする請求項１に記載の石造構造物用パレット。
【請求項３】
前記パレット本体部の側面には、耐震試験用の震動台に取り付けるための金具を固定する金具固定部が設けられると共に、
前記基礎は、前記矩形凹状部に敷き詰めた割栗石と、該敷き詰めた割栗石の上に載置された鉄筋部材と、該割栗石の上に載置された鉄筋部材の上から流し込まれて固められたコンクリートとを有することを特徴とする請求項１又は請求項２に記載の石造構造物用パレット。
【請求項４】
前記パレット本体部の側面には、前記石造構造物用パレットの運搬に利用するための複数の貫通孔が形成されていることを特徴とする請求項１乃至請求項３のいずれか一項に記載の石造構造物用パレット。
【発明の詳細な説明】
【技術分野】
【０００１】
本発明は、構造物の耐震試験に用いられる石造構造物用パレットに関し、例えば、お墓等の石材構造物の耐震強度を試験する際に用いられる石造構造物用パレットに関する。
【背景技術】
【０００２】
地震により、お墓が転倒崩壊するという現象が数多く報告されており、この対策として、お墓の耐震補強のための種々の方法が提案されている。
例えば、特許文献１には、お墓を建てるためのコンクリート基礎の上に、複数枚の石板を一体に連結した基礎石板を形成し、この上に胴石を載せて嵌合させた、外柵を箱状に独立させる構造が開示されている。
しかし、お墓の耐震補強のための種々の方法が提案されているものの、お寺や霊園等に設置したお墓がどの程度の大きさの地震に耐えられるかについて耐震試験を行い、その耐震強度を検証することは行われてこなかった。
そのため、実際に、お寺や霊園等に設置したお墓（或いは耐震補強を施されたお墓）が、どの程度の大きさの地震に耐えられるかを判断することは難しかった。
【０００３】
一方、お墓等の石材構造物ではないが、木造家屋等の建築構造物では、耐震性向上を図るための耐震試験が行われている。
例えば、非特許文献１には、地震の揺れを再現する震動台に、実物大の木造家屋等の構造物を建設し、震動台を振動させ、その揺れや振動による構造物の損傷、崩壊の過程を検証することが開示されている。
【０００４】
【特許文献１】特開２００４−１４３７８２号公報
【非特許文献１】独立行政法人防災科学技術研究所兵庫耐震工学研究センターのホームページ、インターネット〈URL：http://www.bosai.go.jp/hyogo/movie.html〉
【発明の開示】
【発明が解決しようとする課題】
【０００５】
ところで、お墓等の石造構造物においても、非特許文献１に記載の建築構造物のように、耐震試験用の震動台の上に基礎を設置し、その基礎の上にお墓を建てれば、実際に設置されたお墓がどの程度のレベルの地震に耐えられるかを検証することは可能である。
【０００６】
しかし、上記非特許文献１の手法では、以下に示すように、手間および時間がかかり非効率的であるという技術的課題を有している。
具体的には、上記非特許文献１のように、震動台の上にお墓を設置して耐震試験を行おうとすれば、耐震試験を行う時間の他に、震動台の上にお墓を建てるための基礎を設置し、その基礎の上にお墓を建てる時間が必要となる。また、耐震試験の後に、震動台の上に設置されたお墓および基礎を撤去する時間も必要となる。
また、耐震試験は、一般的に、耐震試験のための設備（地震の震動を再現する震動台）を備えた専用施設で行われているため、上記非特許文献１の手法によれば、前記専用施設の震動台を長期間占有する必要があり、設備の使用コストが大きくなる。
また、非特許文献１の手法では、耐震試験を行いたいお墓が複数ある場合、耐震試験を行うお墓毎に、そのお墓を震動台に設置する必要があり、効率的に耐震試験を行うことができない。
なお、震動台上に基礎を設置することなく、お墓を載置し、耐震試験を行うことにより手間および時間を省くことも可能であるが、この場合、実際の設置環境と異なるため、真の耐震試験データを得ることができないという技術的課題がある。
【０００７】
本発明は、前記した技術的課題を解決するためになされたものであり、実際の設置環境を想定したお墓等の石材構造物の耐震試験を効率的に行うことのできる石造構造物用パレットを提供することを目的とする。
【課題を解決するための手段】
【０００８】
上記課題を解決するために本発明は、石造構造物を載置して耐震試験に用いられる石造構造物用パレットに適用される。
そして、前記石造構造物用パレットは、略箱状のパレット本体部と、前記パレット本体部の上面に形成された矩形凹状部とを備え、前記矩形凹状部には、前記石造構造物を建てるための基礎が設置されていることを特徴とする。
【０００９】
このように本発明では、石造構造物を載置して耐震試験に用いられる石造構造物用パレットに、お墓等の石造構造物を建てるための基礎を設置するようにしている。
したがって、本発明によれば、石造構造物用パレットの基礎の上にお墓等の石造構造物を設置し、その石造構造物用パレットをそのまま耐震試験用の震動台に取り付けて耐震試験を行えば、実際に設置された状態の石造構造物が、地震を受けた場合にどのような影響を受けるかを検証できる。すなわち、本発明によれば、耐震試験を行う場合には、石造構造物を設置した石造構造物用パレットをそのまま震動台に取り付けるようにすればよいため、効率的に石造構造物の耐震試験を行うことができる。
また、本発明によれば、震動台に基礎を設置する必要がないため、震動台を長期間占有する必要がなく、設備の使用コストも低減できる。
【００１０】
また、前記矩形凹状部には、防水加工が施されていることが望ましい。
このように、前記矩形凹状部に防水加工を施すことにより、基礎を設置する際に、基礎を構成する材料（例えばコンクリート）の水分が前記矩形凹状部から漏れることを防止できる。したがって、石造構造物用パレットに、実際の設置環境に近い基礎を再現することができる。また、パレット本体部が木製の場合には、水分によるパレット本体部の腐敗を防げる。
【００１１】
また、前記パレット本体部の側面には、耐震試験用の震動台に取り付けるための金具を固定する金具固定部が設けられると共に、前記基礎は、前記矩形凹状部に敷き詰めた割栗石と、該敷き詰めた割栗石の上に載置された鉄筋部材と、該割栗石の上に載置された鉄筋部材の上から流し込まれて固められたコンクリートとを有することが望ましい。
このように、前記パレット本体部の側面に金具固定部を設けるようにしているため、石造構造物用パレットの震動台への着脱を簡単に行うことができる。すなわち、本発明によれば、効率的に石造構造物の耐震試験を行うことができる。
【００１２】
また、前記パレット本体部の側面には、前記石造構造物用パレットの運搬に利用するための複数の貫通孔が形成されていることが望ましい。
このように、本実施形態によれば、パレット本体部の側面に、石造構造物用パレットの運搬に利用するための複数の貫通孔を形成するようにしている。これにより、前記の貫通孔に運搬用のナイロンロープ等を通すことにより、石造構造物用パレットを効率良く運搬することができる。したがって、石造構造物の耐震試験を効率よく実行することができるようになる。
【発明の効果】
【００１３】
このように、本発明によれば、実際の設置環境を想定した石材構造物の耐震試験を効率的に行うことができる。
【発明を実施するための最良の形態】
【００１４】
以下、本発明の実施形態の石造構造物用パレットについて、図面を用いて説明する。本実施形態の石造構造物用パレットは、地震の震動を再現する震動台に取り付けられて、耐震試験に用いられるものである。
【００１５】
先ず、本発明の実施形態の石造構造物用パレットの構成を図１乃至図４に基づいて説明する。
図１は、本発明の実施形態の石造構造物用パレットの構成を示す斜視図である。図２は、本実施形態の石造構造物用パレット１の上にお墓Ｗを取り付けた状態を示した斜視図である。また、図３は、図２に示す石造構造物用パレットのＡ‐Ａ断面図である。また、図４は、本実施形態の石造構造物用パレット１のパレット本体を分解した斜視図である。
【００１６】
図１に示すように、石造構造物用パレット１は、上面に矩形凹状の基礎設置部２０ａが形成された略箱状のパレット本体２０と、パレット本体２０の基礎設置部２０ａに設置された基礎１０とを備える。
そして、パレット本体２０は、その側面部に、石造構造物用パレット１の運搬に利用するための複数の貫通孔２０ｂ１，２０ｂ２、２０ｃ１，２０ｃ２，２０ｃ３が形成されている。
また、パレット本体２０の側面部には、耐震試験用の震動台８０（図６参照）に取り付けるための固定金具７０（図５、６参照）を固定するための金具固定部２０ｄが形成されている。
【００１７】
また、矩形凹状の基礎設置部２０ａには、防水加工が施されている。
このように基礎設置部２０ａに防水加工を施すのは、基礎設置部２０ａに基礎１０を設置する際に、基礎１０を構成する材料（コンクリート１１）の水分が外部に漏れることを防ぐためである。そして、これにより、基礎設置部２０ａから漏れた水分によるパレット本体２０の腐食或いは腐敗を防止することができる。
以下、パレット本体２０および基礎１０の具体的な構成を説明する。
【００１８】
先ず、パレット本体２０の構成を説明する。
具体的には、パレット本体２０は、木材により構成され、図４に示すように、矩形状の枠体２１と、枠体２１の一方面（下面）に取り付けられる板状の底面部材２２と、底面部材２２の一方面（下面）に取り付けられる第１補強部材２３ａ、２３ｂ、２３ｃと、第１補強部材２３ａ、２３ｂ、２３ｃの一方面（下面）に取り付けられる第２補強部材２４ａ、２４ｂ、２４ｃ、２４ｄと、第２補強部材２４ａ、２４ｂ、２４ｃ、２４ｄの一方面（下面）に取り付けられる第３補強部材２５ａ、２５ｂ、２５ｃ、２５ｄ、２５ｅ、２５ｆとを備える。
【００１９】
前記枠体２１は、矩形の枠体部材２１ａと、枠体２１によって形成された開口部２１ｂと、枠体部材２１ａの内側の各側面にそれぞれ取り付けられ、当該側面を覆う板状の側面部材２１ｃとを有する。この側面部材２１ｃには、防水加工が施されている。なお、防水加工は、少なくとも、側面部材２１ｃの内周面（枠体部材２１ａへの取付面と反対側の面）に施されていればよい。
【００２０】
また、枠体部材２１ａには、上述した金具固定部２０ｄが設けられている。この金具固定部２１ｄには、枠体部材２１ａの外周側面から内周側面を貫通するネジ穴２１ａ１が形成されている。また、金具固定部２１ｄが形成されている枠体部材２１ａの内周側面部には、切り欠き２１ａ２が形成されている。
このように切り欠き２１ａ２を形成するようにしたのは、固定金具７０（図６参照）を取り付けるための作業スペースを確保するためである。
【００２１】
底面部材２２は、防水加工が施されており、枠体２１の一方面（下面）に取り付けられる。これにより、枠体２１の下端側が塞がれる。なお、前記防水加工は、少なくとも、底面部材２２の上面側（枠体２１に取り付けられる面）に施されていればよい。
そして、この底面部材２２と、枠体部材２１ａの内側側面に取り付けられた板状部材２１ｃとにより、上述した矩形凹状の基礎設置部２０ａ（図１、図３参照）が構成される。
【００２２】
また、第１補強部材２３ａ、２３ｂ、２３ｃは、略長方形の板状に形成され、底面部材２２の下面に、長軸方向を揃えて所定の間隔を開けて取り付けられる。
このように、第１補強部材２３ａ、２３ｂ、２３ｃを所定の間隔を開けて取り付けることにより、上述したパレット本体２０の側面部の貫通孔２０ｂ１，２０ｂ２（図１参照）が形成される。
【００２３】
また、第２補強部材２４ａ、２４ｂ、２４ｃ、２４ｄは、略長方形の板状に形成され、底面部材２２に取り付けられた第１補強部材２３ａ、２３ｂ、２３ｃの下面に、長軸方向を揃えて所定の間隔を開けて取り付けられる。なお、第２補強部材２４ａ、２４ｂ、２４ｃ、２４ｄは、その長軸方向が、第１補強部材２３ａ、２３ｂ、２３ｃの長軸方向と直交する向きに配置される。
このように、第２補強部材２４ａ、２４ｂ、２４ｃ、２４ｄを所定の間隔を開けて取り付けることにより、上述したパレット本体２０の側面部の貫通孔２０ｃ１，２０ｃ２、２０ｃ３（図１参照）が形成される。
【００２４】
また、第３補強部材２５ａ、２５ｂ、２５ｃ、２５ｄ、２５ｅ、２５ｆは、略長方形の板状に形成され、第２補強部材２４ａ、２４ｂ、２４ｃ、２４ｄの下面に、長軸方向を揃えて所定の間隔を開けて取り付けられる。なお、第３補強部材２５ａ、２５ｂ、２５ｃ、２５ｄ、２５ｅ、２５ｆは、その長軸方向が、第２補強部材２４ａ、２４ｂ、２４ｃ、２４ｄの長軸方向と直交する向きに配置される。
このように、補強部材（第１補強部材２３、第２補強部材２４、および第３補強部材２５）を３重にして格子状に配置したのは、石造構造物用パレット１の強度を高めるためである。
【００２５】
また、前記枠体２１、底面部材２２、第１補強部材２３ａ、２３ｂ、２３ｃ、第２補強部材２４ａ、２４ｂ、２４ｃ、２４ｄには、貫通孔が上下方向に形成され、前記貫通孔にボルト２６を挿通させることにより、上下水平方向を固定する。また、第３補強部材２５ａ、２５ｂ、２５ｃ、２５ｄ、２５ｅ、２５ｆは、釘等（図示しない）により、第２補強部材２４ａ、２４ｂ、２４ｃ、２４ｄに固定される。これにより、パレット本体２０は、一体化する。
【００２６】
つぎに、基礎１０の構成を説明する。
図１に示すように、基礎１０は、割栗石１３、鉄筋メッシュ１２、およびコンクリート１１により構成されている。
具体的には、基礎１０は、パレット本体２０の基礎設置部２０ａに敷き詰められた割栗石１３と、基礎設置部２０ａに敷き詰められた割栗石１３の上に載置された鉄筋メッシュ１２と、割栗石１３の上に載置された鉄筋メッシュ１２の上から流し込まれて固められたコンクリート１１とにより構成される（図１、３参照）。このように、基礎１０を構成することにより、基礎設置部２０ａに、実際の設置環境に近い基礎１０を再現することができる。
そして、図２に示すように、パレット本体２０に設置された基礎１０の上面（コンクリート１１の上面）には、お墓設置面１０ａが形成され、そのお墓設置面１０ａに、接着剤（モルタル接着剤等）によりお墓Ｗが取り付けられる。
【００２７】
そして、石造構造物用パレット１は、お墓設置面１０ａにお墓Ｗが取り付けられた状態で耐震試験用の震動台８０（図６参照）に運搬され、耐震試験用の震動台８０に取り付けられる。
このように、本実施形態では、石造構造物用パレット１に、お墓Ｗを建てるための基礎１０を設けている。すなわち、石造構造物用パレット１の上で、お墓Ｗの設置環境を再現している。
したがって、石造構造物用パレット１の基礎１０（お墓設置面１０ａ）の上にお墓Ｗを取り付け、その石造構造物用パレット１を震動台８０に固定して耐震試験を行えば、実際に設置された状態のお墓Ｗが、地震を受けた場合にどのような影響を受けるかを確認することができる。すなわち、本実施形態によれば、お墓Ｗの耐震強度の高精度に検証することができる。
また、本実施形態によれば、耐震試験を行う際、お墓を設置した石造構造物用パレット１をそのまま震動台に取り付けるようにすればいいため、効率的にお墓の耐震試験を行うことができる。
【００２８】
なお、本実施形態では、石造構造物用パレット１に、実際に霊園等に設置する場合と同様、墓石だけではなく、地面の上に設置したコンクリートの基礎に取り付けられる土台部分も載置する。例えば、石造構造物用パレット１に、図２に示す構成のお墓Ｗを取り付ける。以下、図２に示すお墓の構成を簡単に説明する。
【００２９】
お墓Ｗは、カロート（納骨室）を含むお墓Ｗの土台を構成する土台部分（外柵）４０と、土台部分４０の上に取り付けられる墓石５０と、塔婆立６０とを備える。
前記土台部分４０は、お墓Ｗの前方に配置された段石４０ａと、段石４０ａの中央部に載置されるふた石４０ｂと、ふた石４０ｂの両端にそれぞれ配置される脇石４０ｃおよび４０ｄと、お墓Ｗの右方に配置された右根石４０ｅと、お墓Ｗの左方に配置された左根石（図示せず）と、お墓Ｗの後方に配置された後根石（図示せず）とを備える。この土台部分４０が、石造構造物用パレット１のお墓載置面１０ａに接着材等により取り付けられる。
また、前記墓石５０は、土台部分４０の上側を覆うスラブ５０ａと、スラブ５０ａの略中央部に取り付けられた中台５０ｂと、中台５０ｂの上に積み重ねて取り付けられた上台５０ｃと、上台５０ｃの上に積み重ねて取り付けられた竿石５０ｄと、スラブ５０ａの左端に配置された左羽目５０ｅと、スラブ５０ａの右端に配置された右羽目５０ｆと、中台５０ｂの前方に配置される香炉５０ｇ、および花立水鉢５０ｈとを備え、前記土台部分４０の上端に取り付けられる。
【００３０】
次に、本実施形態の石造構造物用パレット１を震動台に取り付けるための構成について、図５および図６に基づいて説明する。
図５は、本実施形態の石造構造物用パレットを震動台に取り付けるための固定金具の斜視図である。また、図６は、図５に示す固定金具を用いて、石造構造物用パレットを震動台に取り付けた状態を示した斜視図である。
なお、図６に示す符号８０は、地震の震動を再現できる耐震試験用の震動台を示している。この震動台には、耐震試験の対象物を固定するためのボルト止用の穴が形成されている。
【００３１】
固定金具７０ａ、７０ｂ、７０ｃ、７０ｄは、鉄等の金属により形成され、石造構造物用パレット１の外周側面（図１参照）への当接面７０ａ１、７０ｂ１、７０ｃ１、７０ｄ１と、震動台８０への当接面７０ａ２、７０ｂ２、７０ｃ２、７０ｄ２とを備える。なお、固定金具７０ａ、７０ｂ、７０ｃ、７０ｄは、２つのＬ字金具を溶接により一体化するようにして製作してもよいし、一体成形により製作してもよい。
【００３２】
そして、固定金具７０ａ、７０ｂ、７０ｃ、７０ｄの当接面７０ａ１、７０ｂ１、７０ｃ１、７０ｄ１を石造構造物用パレット１の外周側面に当接させて、金具固定部２０ｄにボルト７５を挿入して、石造構造物用パレット１に固定金具７０ａ、７０ｂ、７０ｃ、７０ｄを固定する。また、固定金具７０ａ、７０ｂ、７０ｃ、７０ｄの当接面７０ａ２、７０ｂ２、７０ｃ２、７０ｄ２を震動台８０に当接させてボルト７５で固定する（図６参照）。
なお、石造構造物用パレット１に固定金具７０ａ、７０ｂ、７０ｃ、７０ｄを取り付ける際には、石造構造物用パレット１に形成された切り欠き２１ａ２側からボルト７５を挿入するとともに、固定金具７０側にナット（図示せず）を配置して、固定金具７０ａ、７０ｂ、７０ｃ、７０ｄを取り付ける。
そして、上記のように、石造構造物用パレット１が震動台８０に取り付けられた後、震動台８０を駆動させて耐震試験を行う。
【００３３】
このように、本実施形態によれば、固定金具７０およびボルト７５を用いた比較的簡単な作業により、お墓を設置した石造構造物用パレット１を震動台８０に取り付けることができる。同様に、本実施形態では、手間をかけずに（固定したボルト７５を緩めることで）、石造構造物用パレット１を震動台８０から取り外すことができる。
そして、石造構造物用パレット１には、お墓Ｗを建てるための基礎１０が設置されているので、本実施形態によれば、実際の設置環境を想定した耐震試験を効率的に行うことができるようになる。すなわち、本実施形態によれば、お寺や霊園等に設置したお墓がどの程度の大きさの地震に耐えられるかについての耐震試験を効率的に行うことができるようになる。
【００３４】
また、本実施形態の石造構造物用パレット１を用いることにより、従来から提案されているお墓の耐震構造の有効性の判定を効率的、且つ高精度に行うことができる。すなわち、本実施形態の石造構造物用パレット１は、お墓の耐震構造の技術開発に貢献することができる。
【００３５】
なお、本発明は、上述した実施形態に限定されるものではなく、その発明の要旨の範囲内において種々の変形が可能である。
例えば、上記実施形態では、お墓Ｗの耐震試験を行ったが、お墓以外のもの（神社やお寺に設置されている石造構造物等）にも本実施形態を用いることは可能である。
また、上記実施形態の説明では、石造構造物用パレット１にお墓Ｗを設置した状態（お墓をお墓設置面１０ａに接着させた状態）で、震動台８０の上に運搬して取り付ける場合について説明したが、特にこれに限定されるものではない。例えば、お墓Ｗを設置しないまま石造構造物用パレット１を震動台８０の上に運んで載置しておいて、震動台８０の上において、石造構造物用パレット１にお墓Ｗを取り付けるようにしてもよい。
【図面の簡単な説明】
【００３６】
【図１】本発明の実施形態の石造構造物用パレットの構成を示す斜視図である。
【図２】本発明の実施形態の石造構造物用パレットの上にお墓Ｗを取り付けた状態を示した斜視図である。
【図３】図２に示す石造構造物用パレットのＡ‐Ａ断面図である。
【図４】本発明の実施形態の石造構造物用パレットのパレット本体を分解した斜視図である。
【図５】本発明の実施形態の石造構造物用パレットを震動台に取り付けるための固定金具の斜視図である。
【図６】図５に示す固定金具を用いて、石造構造物用パレットを震動台に取り付けた状態を示した斜視図である。
【符号の説明】
【００３７】
Ｗ…お墓
１…石造構造物用パレット
１０…基礎
１０ａ…お墓設置面
１１…コンクリート
１２…鉄筋メッシュ
１３…割栗石
２０…パレット本体
２０ａ…基礎設置部
２０ｂ１、ｂ２…貫通孔
２０ｃ１、ｃ２、ｃ３…貫通孔
２０ｄ…金具固定部
２１…枠体
２１ａ…枠体部材
２１ａ１…ネジ穴
２１ａ２…切り欠き
２１ｂ…開口部
２１ｃ…側面部材
２２…底面部材
２３ａ、ｂ、ｃ…第１補強部材
２４ａ、ｂ、ｃ、ｄ…第２補強部材
２５ａ、ｂ、ｃ、ｄ、ｅ、ｆ…第３補強部材
２６…ボルト
４０…土台部分
４０ａ…段石
４０ｂ…ふた石
４０ｃ、ｄ…脇石
４０ｅ…右根石
５０…墓石
５０ａ…スラブ
５０ｂ…中台
５０ｃ…上台
５０ｄ…竿石
５０ｅ…左羽目
５０ｆ…右羽目
５０ｇ…香炉花
５０ｈ…立水鉢
７０…固定金具
７５…ボルト
８０…震動台
【図１】
2009166882.tif 000003
【図２】
2009166882.tif 000004
【図３】
2009166882.tif 000005
【図４】
2009166882.tif 000006
【図５】
2009166882.tif 000007
【図６】
2009166882.tif 000008